(57)【特許請求の範囲】
【請求項１】
回路構成体と、この回路構成体を収容するケースとを備え、前記ケースの下部には外部コネクタと接続可能なコネクタハウジングが設けられている電気接続箱であって、
前記ケースにおいて外壁の縦壁部分には、前記コネクタハウジングの外周を覆うコネクタフード部が外向きに膨出形成されており、
前記外壁の縦壁部分には、前記コネクタフード部よりも上方位置に、外向きに突出するひさし部が設けられており、
前記ひさし部の端縁部が前記コネクタフード部の外側側面に連続していることを特徴とする電気接続箱。
【請求項２】
前記ひさし部の上面には、幅方向中心側から両端縁に向かって下り勾配となる傾斜面が設けられていることを特徴とする請求項１に記載の電気接続箱。
【発明の詳細な説明】
【技術分野】
【０００１】
本発明は、電気接続箱に関する。
【背景技術】
【０００２】
自動車に搭載される電気接続箱として、回路構成体をケースに収容した構造のものがある。回路構成体は、回路基板と、回路基板の裏面に沿って配索したバスバーと、回路基板の表面側に実装されるリレー等のスイッチング部材とを備えて構成されている。ケースは、回路基板に対しその周縁に沿うように配置されて固定されるフレームと、フレームに対し回路基板を表面側から覆うように組み付けられるカバー部と、回路基板の裏面に固着されてフレーム裏面側の開口を塞ぐ放熱板を備えて構成される。バスバーの端部は、回路基板の外方に延出された後、ケースに設けられたコネクタハウジング内に導入されて、相手側コネクタと接続するための端子とされている。
【０００３】
尚、電気接続箱としては、特許文献１に開示されているもの等がある。
【特許文献１】特開２００３−１６４０３９公報
【発明の開示】
【発明が解決しようとする課題】
【０００４】
この種の電気接続箱では、結露等によってケースの上面に水が溜まることがあるが、ケースの上面に溜まる水の量が多くなると、その水がケースの外表面を伝って落下する。ここで、ケース下部に外部コネクタとの接続のためのコネクタハウジングが開口されていると、ケースを伝ってきた水がこのコネクタハウジングから内部へ侵入することが懸念される。
【０００５】
本発明は上記のような事情に基づいて完成されたものであって、ケース内部への水の侵入を回避できる電気接続箱を提供することを目的とする。
【課題を解決するための手段】
【０００６】
上記の課題を解決するための請求項１の発明に係る電気接続箱は、回路構成体と、この回路構成体を収容するケースとを備え、前記ケースの下部には外部コネクタと接続可能なコネクタハウジングが設けられている電気接続箱であって、前記ケースにおいて外壁の縦壁部分には、前記コネクタハウジングの外周を覆うコネクタフード部が外向きに膨出形成されており、前記外壁の縦壁部分には、前記コネクタフード部よりも上方位置に、外向きに突出するひさし部が設けられており、前記ひさし部の端縁部が前記コネクタフード部の外側側面に連続していることを特徴とする。
【０００７】
請求項２の発明は、請求項１に記載の電気接続箱であって、前記ひさし部の上面には、幅方向中心側から両端縁に向かって下り勾配となる傾斜面が設けられていることを特徴とする。
【発明の効果】
【０００９】
請求項１の発明によれば、ケースの外壁を伝って落下する水はひさし部によって遮られ、コネクタハウジングに至ることが阻止されるから、コネクタハウジングからの水分の侵入を防ぐことができる。
また、ひさし部の上に落下した水はコネクタフード部の外側側面に案内され、コネクタハウジングを避けて排水される。これにより、コネクタハウジングからの水分の侵入を防ぐことができる。
【００１０】
請求項２の発明によれば、ひさし部の上に落下した水は傾斜面の勾配に従って傾斜面を伝い流れることによりひさし部の両端から排水されるので、ひさし部の上に水が溜まり、この水がひさし部から零れ落ちて再びケースの外壁を伝って流れ落ちるという事態を回避できる。
【発明を実施するための最良の形態】
【００１２】
以下、本発明を具体化した実施形態を図１〜図４を参照して説明する。本実施形態の電気接続箱１は、自動車に搭載され、バッテリ（図示せず）とランプ、オーディオ等の電装品（図示せず）との間に介設され、バッテリから供給される電力を各電装品に分配・供給するとともに、これら電力供給の切り替え等の制御を行うものである。図１及び図２においては、電気接続箱１を表面側が上向きとなるように描いているが、自動車に搭載された状態では、電気接続箱１は、図３及び図４に示すように、ヒューズブロック２３の本体部２４が上側に位置し、ヒューズブロック２３のアーム部２５が下方へ延出する向きとなる。以下、上下左右の向きについては、自動車に搭載された状態を基準として説明する。
【００１３】
電気接続箱１は、回路構成体１０と、回路構成体１０を収容するケース２０とを備えて構成される。
【００１４】
回路構成体１０は、板面を鉛直方向に向けた回路基板１１と、回路基板１１の裏面（図４における右面）に沿って配索した複数のバスバー１２と、回路基板１１の表面側（図４における左面側）に実装されるリレーなどのスイッチング部材１３とを備えて構成されている。バスバー１２は回路基板１１の裏面に接着シートＳを介して接着されており、バスバー１２の端部に形成した第１端子部１４が回路基板１１の上端縁から突出されているとともに、同じくバスバー１２の端部に形成した第２端子部１５が回路基板１１の下端縁から突出されている。
【００１５】
ケース２０は、合成樹脂等の絶縁材料からなる略方形の枠状をなすフレーム２１と、フレーム２１に対しその裏側の開口を塞ぐように固着される金属製の放熱板２２と、フレーム２１に対しその上側から組み付けられる合成樹脂製のヒューズブロック２３と、フレーム２１に対しその表面側（放熱板２２とは反対側）の開口を塞ぐように組み付けられる合成樹脂製のカバー部３１と、ヒューズブロック２３に組み付けられる合成樹脂製の第１ハウジング２６と、フレーム２１の下縁部に組み付けられる合成樹脂製の第２〜第４ハウジング２７，２８，２９とを備えて構成される。
【００１６】
フレーム２１は、回路基板１１の周縁に沿って回路構成体１０を全周に亘って連続して包囲するように配置されているとともに、放熱板２２の表面に接着剤（図示せず）により固定されている。上記した複数の第１端子部１４は、フレーム２１の上縁部に沿って横に並ぶように配置されている。
【００１７】
放熱板２２は、回路基板１１と概ね相似形であり、放熱板２２の表面にはバスバー１２の裏面が接着剤（図示せず）により固着されている。
【００１８】
ヒューズブロック２３は、フレーム２１の上縁部に沿って配されるとともにその表側部分がカバー部３１よりも表側方向に突出する横長形状の本体部２４と、この本体部２４の左右両端部から下方へ片持ち状に延出する形態の一対のアーム部２５とからなる。
本体部２４の上面には、図示しないヒューズを収容するための左右２つの収容部２４Ａが、本体部２４の上面よりも上方へ方形ブロック状に突出し、且つ上面側へ開放された形態で形成されている。また、本体部２４の下側からは、第１端子部１４の上端部が下側から差し込まれている。
【００１９】
このヒューズブロック２３において表側に突出する部分には、第１ハウジング２６が下側から組み付けられている。第１ハウジング２６には、下方に開口する筒合嵌部が備えられており、ここに外部コネクタを嵌合することができるようになっている。この嵌合筒部内には端子金具３０の略下半分領域が収容され、この端子金具３０の略上半分領域は本体部２４内に下側から差し込まれている。端子金具３０と第１端子部１４とは本体部２４内においてヒューズおよび中継端子１６を介して接続されている。
【００２０】
カバー部３１は、全体として回路基板１１とほぼ相似形であって、回路基板１１よりも一回り大きく形成された板状の蓋板部３１Ａ（本発明の「外壁の縦壁部分」に該当する）と、この蓋板部３１Ａの周縁に沿って立ち上げられた側壁部３１Ｂとを備え、全体として裏面側（回路基板１１との対向面側）に開口する浅皿状をなす。このカバー部３１は、表面側からフレーム２１に対して組み付けられる。組付け状態ではフレーム２１内に収容されている回路基板１１の表面側がカバー部３１によって覆い隠される。
【００２１】
カバー部３１の下部は左右両端部を残して外側方向（図４の左方）に膨出されており、この膨出部はコネクタフード部３２とされている。このコネクタフード部３２は３つのフード３３に仕切られている。各フード３３の下面には開口３３Ａが設けられており、そこには、第２〜第４ハウジング２７，２８，２９が同開口３３Ａを閉止するようにして配される。第２〜第４ハウジング２７，２８，２９は、それぞれ下方に開口する嵌合筒部を有し、この嵌合筒部内には、それぞれ図示しない相手側コネクタが組み付けられるようになっている。
【００２２】
カバー部３１における蓋板部３１Ａの外側面には、上端縁よりやや下がった位置であって、コネクタフード部３２よりも上方位置に、ひさし部３４が外側方向に向かって突設されている。このひさし部３４は、左右方向に連続して延びるリブ状をなすとともに、左右方向の中心位置を稜線としてそこから左右に向かって下り勾配で傾斜している。ひさし部３４においてコネクタフード部３２の左右両端縁に対応する位置よりもやや内側位置までは、緩やかな下り勾配で傾斜した緩斜部３５とされ、そこから外側は緩斜部３５よりも急な下り勾配で傾斜する急斜部３６とされている。これにより、ひさし部３４の上面は左右方向の中心位置を稜線としてそこから左右に向かって下り勾配で傾斜する傾斜面３４Ａとされている。そして、急斜部３６の下端部はコネクタフード部３２の左右両端上縁に接続され、これにより、ひさし部３４の端縁がコネクタフード部３２の外側面において左右両側面３２Ａ（本発明の外側側面に該当する）にそれぞれ連続している。
【００２３】
本実施形態においては、カバー部３１の外側面にひさし部３４が設けられているから、カバー部３１の外側面を伝って落下する水はこのひさし部３４によって遮られ、下側の第２〜第４ハウジング２７，２８，２９に至ることが阻止される。これにより、第２〜第４ハウジング２７，２８，２９からの水分の侵入を防ぐことができる。
【００２４】
また、ひさし部３４の上面は左右方向の中心位置を稜線としてそこから左右に向かって下る傾斜面３４Ａとされているから、ひさし部３４の上に落下した水は傾斜面３４Ａの勾配に従って左右方向に伝い流れ、ひさし部３４の両端から排水される。これにより、ひさし部３４の上に水が溜まり、この水がひさし部３４から零れ落ちて再びカバー部３１の外壁を伝って流れ落ちるという事態を回避できる。
【００２５】
また、ひさし部３４の端縁がコネクタフード部３２の左右の側面３２Ａにそれぞれ連続しているから、ひさし部３４の上に落下した水はコネクタフード部３２の側面３２Ａに案内され、第２〜第４ハウジング２７，２８，２９を避けて排水される。これにより、第２〜第４ハウジング２７，２８，２９からの水分の侵入を防ぐことができる。
【００２６】
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態ではひさし部３４を傾斜させることによりその上面を傾斜面３４Ａとしたが、ひさし部自体は傾斜させず、その上面のみに傾斜をつけても構わない。また、特に傾斜を設けなくても構わない。
（２）上記実施形態では、ひさし部３４をカバー部３１の表面に設けたが、ひさし部３４を設ける位置は上記形態に限らず、例えばケースが有底のケース部とこのケース部の開口を閉止する蓋部とで構成されている場合には、ケース部の底壁外側面に設けても良い。
【図面の簡単な説明】
【００２７】
【図１】実施形態の電気接続箱の全体斜視図
【図２】実施形態の電気接続箱の分解斜視図
【図３】実施形態の電気接続箱の正面図
【図４】図３のＡ−Ａ側断面図
【符号の説明】
【００２８】
１…電気接続箱
１０…回路構成体
２０…ケース
２７，２８，２９…第２〜第４ハウジング（コネクタハウジング）
３１Ａ…蓋板部（外壁の縦壁部分）
３２…コネクタフード部
３２Ａ…側面（外側側面）
３４…ひさし部
３４Ａ…傾斜面
【図１】
0004542484.tif 000002
【図２】
0004542484.tif 000003
【図３】
0004542484.tif 000004
【図４】
0004542484.tif 000005